(57)【特許請求の範囲】
【請求項１】
１つの入射端(1)と複数の出射端(5,6,7)とを光分岐手段(12)を介して光ファイバ(11,13,15,16)で結んでなる複数の被監視線路(21)を、ＯＴＤＲ(2)を用いて監視する方法であって、
前記複数の被監視線路の線路長はそれぞれ異なる長さであり、かつその線路長の差はＯＴＤＲから出射される試験光のパルス幅に相当する長さの半分以上であり、
前記被監視線路に異常がない状態で、前記入射端に前記試験光を入射させたときに該入射端にもどってくる光の強度を経時的に測定して、前記複数の被監視線路の各出射端をそれぞれ認識できる正常状態の波形を得る工程と、前記入射端に前記試験光を入射させたときに該入射端にもどってくる光の強度を経時的に測定して得られる波形を、前記正常状態の波形と比較して、観察されなくなった波形の位置から断線が発生した被監視線路を特定する工程と、新たに観察されたピークの位置から断線位置を測定する工程を有することを特徴とする光線路の監視方法。
【請求項２】
前記被監視線路の出射端が無反射端であり、前記観察されなくなった波形は後方散乱による波形であることを特徴とする請求項１記載の光線路の監視方法。
【請求項３】
１つの入射端と複数の出射端とを光分岐手段を介して光ファイバで結んでなる複数の被監視線路と、
前記複数の被監視線路の入射端に接続されたＯＴＤＲとを備えてなり、
前記複数の被監視線路の線路長はそれぞれ異なる長さであり、かつその線路長の差はＯＴＤＲから出射される試験光のパルス幅に相当する長さの半分以上であり、
前記被監視線路に異常がない状態で、前記入射端に前記試験光を入射させたときに該入射端にもどってくる光の強度を経時的に測定して得られる、前記複数の被監視線路の各出射端をそれぞれ認識できる波形を、正常状態の波形としてメモリーする手段を有することを特徴とする光線路の監視システム。
【請求項４】
前記被監視線路にダミーファイバが挿入されており、該ダミーファイバは基地局内に収容されていることを特徴とする請求項３記載の光線路の監視システム。
【発明の詳細な説明】
【０００１】
【発明の属する技術分野】
本発明はＯＴＤＲを用いた光線路の監視方法および監視システムに関し、特に分岐線路を有する光線路全体を一括的に監視できるようにした方法およびシステムに関する。
【０００２】
【従来の技術】
従来より、光ファイバ通信網においては、１つの交換局と複数の基地局（あるいは加入者宅）とを光分岐デバイスを介して光ファイバで結んで、複数系列の光伝送線路（被監視線路）を構築することが行われている。例えば交換局とスターカプラとを１本の基幹ファイバ（基幹線路）で結び、スターカプラの分岐端と複数の基地局とを複数の分岐ファイバ（分岐線路）で結ぶ構成とすることができる。このように光分岐デバイスを用いて光線路を構築すれば、局内配線の合理化や光ケーブルの細径化を図ることができる。
【０００３】
ところで、光ファイバ通信網の信頼性を確保するために、光線路に断線が生じた場合には直ちにそれを検知できるようにする必要がある。そのための装置として、従来よりバックスキャタリング法を用いたＯＴＤＲ（Optical Time Domain Reflectometer）が知られている。
ＯＴＤＲは、被測定光ファイバに高出力、狭パルス幅のレーザ光を入射させると、被測定光ファイバ中で生じる後方散乱光や、入射端面、出射端面、接続面、あるいは破断面等で生じる反射光等が入射端にもどってくるので、もどってきた光信号の強度を測定して得られる波形を観察することによって、被測定光ファイバに断線が生じた場合には、その位置を検出できるようになっている。
【０００４】
【発明が解決しようとする課題】
しかしながら、上述したような分岐デバイスを用いて構築された光線路においては、１本の基幹線路に複数の分岐線路が接続されることによって複数系列の被監視線路が構築されている。したがって、単に交換局内にＯＴＤＲを設置してここから基幹線路に試験光を入射しても、複数の分岐線路からの後方散乱光および反射光が光分岐デバイスで合波されてもどってくるので、どの被監視線路で断線が生じたかを特定するのが難しい。特に、分岐線路の数が増大すると、ＯＴＤＲで得られる後方散乱光および反射光の光信号波形が複雑になり断線箇所を確実に検出することが非常に困難となる。
【０００５】
本発明は前記事情に鑑みてなされたもので、光分岐手段を用いて複数の被監視線路が構築された光線路を、ＯＴＤＲで一括的に監視できるとともに、破断箇所を確実に、かつ容易に検出できるようにした光線路の監視方法を提供することを目的とする。
【０００６】
【課題を解決するための手段】
前記課題を解決するために本発明の光線路の監視方法は、１つの入射端と複数の出射端とを光分岐手段を介して光ファイバで結んでなる複数の被監視線路を、ＯＴＤＲを用いて監視する方法であって、前記複数の被監視線路の線路長はそれぞれ異なる長さであり、かつその線路長の差はＯＴＤＲから出射される試験光のパルス幅に相当する長さの半分以上であり、前記被監視線路に異常がない状態で、前記入射端に前記試験光を入射させたときに該入射端にもどってくる光の強度を経時的に測定して、前記複数の被監視線路の各出射端をそれぞれ認識できる正常状態の波形を得る工程と、前記入射端に前記試験光を入射させたときに該入射端にもどってくる光の強度を経時的に測定して得られる波形を、前記正常状態の波形と比較して、観察されなくなった波形の位置から断線が発生した被監視線路を特定する工程と、新たに観察されたピークの位置から断線位置を測定する工程を有することを特徴とするものである。
また本発明の光線路の監視システムは、１つの入射端と複数の出射端とを光分岐手段を介して光ファイバで結んでなる複数の被監視線路と、前記複数の被監視線路の入射端に接続されたＯＴＤＲとを備えてなり、前記複数の被監視線路の線路長はそれぞれ異なる長さであり、かつその線路長の差はＯＴＤＲから出射される試験光のパルス幅に相当する長さの半分以上であり、前記被監視線路に異常がない状態で、前記入射端に前記試験光を入射させたときに該入射端にもどってくる光の強度を経時的に測定して得られる、前記複数の被監視線路の各出射端をそれぞれ認識できる波形を、正常状態の波形としてメモリーする手段を有することを特徴とするものである。
【０００７】
【発明の実施の形態】
以下、本発明を詳しく説明する。図１は本発明の光線路の監視方法の一実施例を示す光伝送線路の概略構成図である。図中符号１は交換局、２はＯＴＤＲ、３は波長分割多重（ＷＤＭ）カプラ、４は交換局内送受信装置、５，６，７は基地局、８は基地局内送受信装置、１１は基幹線路，１２は光分岐デバイス、１３は第１の分岐線路、１４はダミーファイバ、１５は第２の分岐線路、１６は第３の分岐線路、２０は光線路、２１は被監視線路をそれぞれ示す。
基幹線路１１および第１〜３の分岐線路１３，１５，１６はそれぞれ光ファイバケーブルで構成されている。
【０００８】
本実施例の光伝送線路は、交換局１から送信された光信号（伝送光）が基幹線路１１で伝送され、光分岐デバイス１２で複数に分岐され、分岐された伝送光がそれぞれ第１〜３の分岐線路１３，１５，１６で各基地局５，６，７へ送られるように構成されている。また基地局５，６，７から送信される光信号は、交換局１から送信された光信号とは逆の方向に伝送されて交換局１へ送られるようになっている。
尚、ここでは１本の基幹線路１１と光分岐デバイス１２と１本の分岐線路１３（または１５，１６）とで構成され、交換局（入射端）１と基地局（出射端）５，６，７とを結ぶ１系列の光伝送線路を被監視線路２１という。図１には３系列の被監視線路２１が示されているが、被監視線路２１の数はこれに限らず任意とすることができる。また、入射端を共有する複数の被監視線路２１で構成される光伝送路全体、すなわち１本の基幹線路１１と光分岐デバイス１２と複数の分岐線路１３，１５，１６とで構成される光伝送線路全体を光線路２０という。
【０００９】
交換局１は送受信装置４およびＯＴＤＲ２を備えており、送受信装置４から送信される伝送光、およびＯＴＤＲ２から出射される試験光がそれぞれＷＤＭカプラ３を介して基幹線路１１に入射されるように構成されている。伝送光および試験光としては波長が異なる光がそれぞれ用いられる。例えば、光線路２０を石英系光ファイバを用いて構成した場合には、伝送光として波長１３１０ｎｍの光を好適に用い、試験光として波長１５５０ｎｍの光を好適に用いることができる。光分岐デバイス１２としては波長無依存型カプラ（ＷＩＣ：Wavelength Insensitive Coupler）が用いられ、各種構成の光分岐手段を用いることができる。例えば１：Ｎの双方向用スターカプラを好適に用いることができる。この光分岐デバイス１２は通常クロージャ内に収納されている。
【００１０】
基地局５は送受信装置８を備えており、第１の分岐線路１３がこの送受信装置８に接続されている。また基地局５内において第１の分岐線路１３には必要に応じた長さのダミーファイバ１４が挿入されている。ダミーファイバ１４は、第１の分岐線路１３を含む被監視線路２１の線路長を調節するために必要に応じて用いられるもので、被監視線路２１を構成する光ファイバケーブルと同じものが使用される。ここで被監視線路２１の線路長とは、ＯＴＤＲ２における入射端から基地局５内における出射端までの長さをいう。ダミーファイバ１４は分岐線路１３の任意の位置に挿入することができるが、基地局５内で挿入する構成とすれば挿入時の作業性や収納性の点で好ましい。
基地局５内における被監視線路２１の出射端、すなわち被監視線路２１と送受信装置８との接続点は無反射であることが望ましく、分岐線路１３またはダミーファイバ１４と送受信装置８との接続は低反射コネクタ等の反射を抑える光部品（図示略）を用いて行うことが好ましい。
また他の基地局６，７も同様に送受信装置（図示略）を備えた構成となっており、各基地局６，７内において、第２の分岐線路１５および第３の分岐線路１６には必要に応じてダミーファイバ（図示略）が挿入されている。
【００１１】
本発明においては、光線路２０を構成する複数の被監視線路２１の線路長が、それぞれ異なる長さとなるように構成される。また複数の被監視線路２１の線路長の差はＯＴＤＲ２から出射される試験光のパルス幅に相当する長さの半分以上とすることが必要である。したがって、例えば各被監視線路２１の線路長は、試験光のパルス幅に相当する長さの半分の値を公差とする等差数列的に増加するように設定することができる。尚、試験光のパルス幅に相当する長さは、
（光速／コアの屈折率）×（ＯＴＤＲから出射される試験光のパルス幅）で求められる。
よって、例えば（光速／コアの屈折率）＝０．２ｍ／ｎｓ、試験光のパルス幅＝５０ｎｓとすると、このパルス幅に相当する線路長は約１０ｍとなる。よって、第１〜３の分岐線路１３，１５，１６を構成している光ファイバケーブルの長さがいずれも等しいとすると、第３の分岐線路１６にはダミーファイバを挿入せず、第２の分岐線路１５には長さ５ｍのダミーファイバを挿入し、第１の分岐線路１３には長さ１０ｍのダミーファイバ１４を挿入し…というように、ダミーファイバの長さを５ｍずつ長くすることによって、各被監視線路２１の長さを好ましく違えることができる。
【００１２】
尚、複数の被監視線路２１の線路長の差は、理論的には上述の通りＯＴＤＲ２から出射される試験光のパルス幅に相当する長さの半分以上とすれば測定可能であるが、実際には、使用するＯＴＤＲ装置の分解能によってはこれよりも長くすることが好ましい。すなわち、ＯＴＤＲ２で得られる波形において、断線等による後方散乱光への影響が後方散乱光の定常値から±０．１ｄＢ以内に回復するのに必要な距離（アッテネーション）を考慮して、複数の被監視線路２１の線路長の差が、ＯＴＤＲ２から出射される試験光のパルス幅に相当する長さの値以上となるようにするのが望ましい。このようにすれば現在市販されているＯＴＤＲによっても好ましい分解能が得られ、断線位置等を容易かつ正確に検出することができる。
【００１３】
このように構成された光線路２０の各被監視線路２１の監視は次のようにして行うことができる。まず、光線路２０に異常がない状態で、交換局１内においてＯＴＤＲ２からの試験光を基幹線路１１に入射させる。そして光線路２０からＯＴＤＲ２へもどってくる光の強度を経時的に測定すれば、例えば図２に示すような波形が得られるので、これを正常状態の波形としてメモリーする。
図２の例は、第１の分岐線路１３を含む被監視線路２１の線路長がＬ1、第２の分岐線路１５を含む被監視線路の線路長がＬ2、第３の分岐線路１６を含む被監視線路の線路長がＬ3（Ｌ1＞Ｌ2＞Ｌ3）で、Ｌ1とＬ2との差およびＬ2とＬ3との差が、いずれも試験光のパルス幅に相当する長さの半分以上とした場合に得られる波形である。この図において縦軸はＯＴＤＲ２へもどってきた後方散乱光または反射光の強度を示す。また横軸は時間軸であるが、光線路の各点のＯＴＤＲ２からの距離に換算して示している。この図の波形は、入射端、出射端、あるいは接続点等における反射や接続損がないと仮定した場合に理論的に得られる波形を示している。
この図に示されるように、複数の分岐線路１３，１５，１６からの後方散乱光が光分岐デバイス１２で合波されてＯＴＤＲ２へもどってきても、各被監視線路の線路長Ｌ1，Ｌ2，Ｌ3が異なり、かつその差が試験光のパルス幅に相当する長さの半分以上となっているので、各分岐線路１３，１５，１６の出射端での後方散乱ａ，ｂ，ｃをそれぞれ認識することができる。
尚、線路長Ｓ1の地点で得られた立上り部は、光分岐デバイス１２による後方散乱を示している。
【００１４】
このようなＯＴＤＲ２による波形の測定を常時行い、正常状態の波形と比較して、正常状態の波形との差を検出することによって、光線路における断線の発生と断線位置を知ることができる。例えば光線路２０に断線が生じた場合には、図３（ａ）または（ｂ）に示すように、図２に示した正常状態の波形とは異なる波形が得られる。図３（ａ）は、第２の分岐線路を含む被監視線路（線路長Ｌ2）において、線路長Ｌ0（Ｓ1＜Ｌ0＜Ｌ3）の位置で断線が発生した場合の波形を示し、図３（ｂ）は、線路長Ｌ0（Ｌ3＜Ｌ0＜Ｌ1）の位置で断線が発生した場合の波形を示す。
そして図３（ａ）（ｂ）の異常状態の波形と図２の正常状態の波形とを比較すると、正常状態では距離Ｌ2で観察されていた後方散乱ｂが異常状態の波形では観察されない。このことから線路長Ｌ2の被監視線路、すなわち第２の分岐線路１５を含む被監視線路に断線が生じたことがわかる。そして断線箇所では光ファイバの破断面によって試験光の反射が生じるので、異常状態の波形にはこの破断面からの反射光によるピークＰが新たに観察されることになる。したがって、このピークＰの位置（Ｌ0）を算出することによって断線位置をほぼ正確に測定することができる。
このように本実施例によれば、複数の分岐線路１３，１５，１６を有する光線路２の基幹線路１１に試験光を入射させることにより、この光線路２０全体を一括的に監視することができる。また断線等の異常が発生した場合には、ＯＴＤＲ２で測定される波形とメモリーされた正常状態の波形との差を読み取ることにより、断線が生じた被監視線路の特定し、かつ断線箇所を断定することができる。
【００１５】
本実施例では、３系列の被監視線路２１を備えた光線路２０について常時監視を行う方法を例に挙げて説明したが、被監視線路２１の数が増えても同様にして常時監視を行うことができる。
また本実施例において、ＯＴＤＲ２で測定される波形は、負の傾きを有する傾斜部分と、段差の立上り部ａ，ｂ，ｃとから概略なっており、各被監視線路の線路長の差は２つの立上り部の間の距離に相当する。したがって各被監視線路の線路長の差が大きい方が、立上り部ａ，ｂ，ｃの間隔が大きくなるので波形を観察する際に各被監視線路の出射端を認識し易い。ただし被監視線路の数が多い場合には、各被監視線路の線路長の差を大きくすると最長の被監視線路の長さが長くなるため、伝送損失の増加等の問題が生じる恐れがある。よって、各被監視線路の線路長が、試験光のパルス幅に相当する長さの半分の値、好ましくは試験光のパルス幅に相当する長さの値を公差とする等差数列的に増加するように設定すれば、被監視線路の数の増加に好適に対応できる。また各被監視線路の線路長がいずれも等しくなるように設定すれば、立上り部が等間隔に観察される波形が得られるので、視覚的に波形の変化を観察し易い。
【００１６】
なお本実施例においては、ＯＴＤＲ２で波形を測定したときに、各被監視線路の出射端での後方散乱が観察され、これによって各被監視線路を認識できるように構成されているが、被監視線路の出射端からの反射光が観察されるように構成すれば、これによっても各被監視線路を認識することが可能である。
また光伝送線路の構成は図１のものに限らず、各種の変形が可能である。例えば基地局５，６，７は加入者宅であってもよい。あるいは１系列の被監視線路に対して２つ以上の光分岐デバイスを用いて２段階に分岐させた構成の光線路においても、各被監視線路の入射端から出射端までの線路長を上記のように設定することによって、ＯＴＤＲを用いて同様に監視することが可能である。
【００１７】
【実施例】
以下、具体的な実施例を示して、本発明の効果を明らかにする。以下の実施例において、測定には、市販のＯＴＤＲ（光ファイバアナライザＡＱ−７１４０Ｃ、ＡＮＤＯ、安藤電気株式会社製）を使用した。
（実施例１）
図４に示すような分岐線路を有する光伝送線路を構成して、ＯＴＤＲを用いた光線路の監視を行った。図４において図１と同じ構成要素には同一符号を付してその説明を簡略化する。
本実施例の光伝送線路において、光分岐デバイス１２としては波長無依存型の１×２双方向用スターカプラを用いた。そして交換局１のＯＴＤＲ２から出射された試験光がＷＤＭカプラ３を介して基幹線路１１に入射され、スターカプラ１２で２つに分岐された後、第１の分岐線路３１および第２の分岐線路３２にそれぞれ入射されて第１の送受信装置ＣＳ1および第２の送受信装置ＣＳ2へそれぞれ出射されるようにした。第１の分岐線路３１と第１の送受信装置ＣＳ1との接続，および第２の分岐線路３２と第２の送受信装置ＣＳ2との接続には低反射コネクタ３３，３４をそれぞれ用い、これによって第１の分岐線路３１および第２の分岐線路３２の出射端における反射が抑えられるようにした。また基幹線路１１および各分岐線路３１，３２とスターカプラ１２との接続は融着により行った。
基幹線路１１および分岐線路３１，３２は石英系光ファイバで構成し、交換局１から出射される伝送光の波長は１３１０ｎｍとし、ＯＴＤＲから出射される試験光の波長は１５５０ｎｍとした。試験光のパルス幅は１μｍとした。またＯＴＤＲ２から第１の送受信装置ＣＳ1までの線路長の実測値は２７１２ｍであり、ＯＴＤＲ２から第２の送受信装置ＣＳ2までの線路長の実測値は８５６１ｍであった。
【００１８】
まず、光線路に異常がない状態でＯＴＤＲ２による測定を行ったところ、図５に示すような波形が得られた。これを正常状態の波形としてメモリーした。この波形には、第１の送受信装置ＣＳ1での出射端からの後方散乱ａ、および第２の送受信装置ＣＳ2での出射端からの後方散乱ｂがそれぞれ観察される。図５の波形を用いてＯＴＤＲ２から第１の送受信装置ＣＳ1までの線路長を算出したところ２７１０ｍであり、実測値との誤差は２ｍであった。また図５の波形を用いてＯＴＤＲ２から第２の送受信装置ＣＳ2までの線路長を算出したところ８５４０ｍであり、実測値との誤差は２１ｍであった。
【００１９】
次に、第１の分岐線路３１が途中で断線しており（破断点Ａ）、第２の分岐線路３２には異常がない状態でＯＴＤＲ２による測定を行ったところ、図６に示すような波形が得られた。この波形には第２の送受信装置ＣＳ2での出射端からの後方散乱ｂは観察されるが、第１の送受信装置ＣＳ1での出射端からの後方散乱ａは観察されない。その代わりに、正常状態では観察されなかったピークＰ1が観察される。このピークＰ1のＯＴＤＲ２からの距離を算出したところ１０６２ｍであった。また破断点ＡのＯＴＤＲ２からの距離を実測したところ１０４９ｍであった。測定により得られたピークＰ1の位置と破断点Ａの実測値との誤差は１３ｍであり、ＯＴＤＲ２を用いて破断点Ａをほぼ正確に検出できることが認められた。
【００２０】
次に、第１の分岐線路３１が途中で断線しており（破断点Ａ）、また第２の分岐線路３２も途中で断線している（破断点Ｂ）状態でＯＴＤＲ２による測定を行ったところ、図７に示すような波形が得られた。この波形においては、図６と同様に第１の送受信装置ＣＳ1での出射端からの後方散乱ａは観察されず、その代わりに、正常状態では観察されなかったピークＰ1が観察される。それに加えて第２の送受信装置ＣＳ2での出射端からの後方散乱ｂも観察されず、その代わりに、正常状態では観察されなかったピークＰ2が観察される。このピークＰ1およびピークＰ2のＯＴＤＲ２からの距離を算出したところ、それぞれ１０６２ｍおよび８１９３ｍであった。また破断点Ａおよび破断点ＢのＯＴＤＲ２からの距離を実測したところ、それぞれ１０４９ｍおよび８１９６ｍであった。測定により得られたピークＰ1の位置と破断点Ａの実測値との誤差は１３ｍであり、測定により得られたピークＰ2の位置と破断点Ｂの実測値との誤差は３ｍであった。このことからＯＴＤＲ２を用いて破断点Ａおよび破断点Ｂをほぼ正確に検出できることが認められた。
【００２１】
（実施例２）
図８に示すように、８系列の分岐線路を有する光線路を構成した。すなわち、基幹線路１１の一端をＯＴＤＲ２に接続し、他端を１×８スプリッタ４０に融着接続した。１×８スプリッタ４０の８つの分岐端に第１〜８の分岐線路４１，４２，４３，４４，４５，４６，４７，４８をそれぞれ融着接続した。ＯＴＤＲ２の入射端から基幹線路１１と１×８スプリッタ４０との接続点までの実測距離は５３５ｍ、基幹線路１１と１×８スプリッタ４０との接続点から１×８スプリッタ４０の分岐端までの実測距離は７．５ｍとし、第１〜８の分岐線路には、約２００ｍずつ長さが異なる光ファイバケーブルをそれぞれ用いた。すなわち、
第１の分岐線路４１の実測長は２０９ｍ、
第２の分岐線路４２の実測長は４１４ｍ、
第３の分岐線路４３の実測長は６１２ｍ、
第４の分岐線路４４の実測長は８１４ｍ、
第５の分岐線路４５の実測長は１０１４ｍ、
第６の分岐線路４６の実測長は１２１３ｍ、
第７の分岐線路４７の実測長は１４１４ｍ、
第８の分岐線路４８の実測長は１６１６ｍとした。また各分岐線路４１，４２，４３，４４，４５，４６，４７，４８の出射端は直角クリープとした。基幹線路１１および第１〜８の分岐線路４１，４２，４３，４４，４５，４６，４７，４８は石英系光ファイバケーブルで構成した。
【００２２】
ＯＴＤＲ２から波長１３１０ｍ、パルス幅５０ｎｓの試験光を基幹線路２へ入射させて、各線路の長手方向の伝搬光の強度変化を測定したところ、図９に示すような波形が得られた。この波形では、第１〜８の分岐線路の各出射端面での後方散乱光による８つの立上り部▲１▼〜▲８▼がそれぞれ観察される。これらの立上り部▲１▼〜▲８▼のＯＴＤＲ２からの位置（測定長）をそれぞれ算出したところ下記表１に示すような値が得られた。また表１には第１〜８の分岐線路をそれぞれ含む被監視線路の線路長（ＯＴＤＲ２から分岐線路の出射端までの長さ）の実測値、および測定値と実測値との誤差を合わせて示す。
【００２３】
【表１】
0003660043.tif 000002
【００２４】
（実施例３）
上記実施例２において、ＯＴＤＲ２から出射される試験光のパルス幅を２００ｎｓとした他は同様にして、各線路の長手方向の伝搬光の強度変化を測定したところ、図１０に示すような波形が得られた。この波形で観察される立上り部▲１▼〜▲８▼のＯＴＤＲ２からの位置（測定長）をそれぞれ算出したところ下記表２に示すような値が得られた。また表２には第１〜８の分岐線路をそれぞれ含む被監視線路の線路長（ＯＴＤＲ２から分岐線路の出射端までの長さ）の実測値、および測定値と実測値との誤差を合わせて示す。
【００２５】
【表２】
0003660043.tif 000003
【００２６】
（比較例１）
上記実施例２において、ＯＴＤＲ２から出射される試験光のパルス幅を１μｓとした他は同様にして、各線路の長手方向の伝搬光の強度変化を測定したところ、図１１に示すような波形が得られた。この波形では立上り部▲１▼〜▲８▼はなだらかになっていた。各立上り部▲１▼〜▲８▼のＯＴＤＲ２からの位置（測定長）をそれぞれ算出したところ下記表３に示すような値が得られた。また表３には第１〜８の分岐線路をそれぞれ含む被監視線路の線路長（ＯＴＤＲ２から分岐線路の出射端までの長さ）の実測値、および測定値と実測値との誤差を合わせて示す。
【００２７】
【表３】
0003660043.tif 000004
【００２８】
（比較例２）
上記実施例２において、ＯＴＤＲ２から出射される試験光のパルス幅を１０μｓとした他は同様にして、各線路の長手方向の伝搬光の強度変化を測定したところ、図１２に示すような波形が得られた。この波形では第１〜８の分岐線路の各出射端面での後方散乱光による８つの立上り部を認識することができず、線路長を測定できなかった。
【００２９】
実施例２，３の結果より、分岐線路の数が８系統と多くなっても各分岐線路の出射端をそれぞれ認識し、かつ各分岐線路を含む被監視線路の線路長をほぼ正確に測定することができた。したがって、上記実施例１と同様にして光線路の常時監視を行えば、断線が生じた場合にはそれを検知し、かつ破断している分岐線路を特定し破断位置を断定することができる。
また比較例１，２では、ＯＴＤＲから出射される試験光のパルス幅（１μｓ，１０μｓ）に相当する線路長が比較例１では約２０５ｍ、比較例２では約２０５０ｍであるのに対して、各分岐線路の線路長の差がこれよりも小さいために、各分岐線路の線路長を正確に測定することができなかった。
これらの結果より、スプリッタ４０で分岐した後の各分岐線路を容易かつ正確に見分けるためには、線路長（ファイバ長）で試験光のパルス幅の１パルス分に相当する長さ以上さがなければならないことが確認できた。
【００３０】
【発明の効果】
以上説明したように本発明の光線路の監視方法は、１つの入射端と複数の出射端とを光分岐手段を介して光ファイバで結んでなる複数の被監視線路を、ＯＴＤＲを用いて監視する方法であって、前記複数の被監視線路の線路長をそれぞれ異なる長さとし、かつその線路長の差をＯＴＤＲから出射される試験光のパルス幅に相当する長さの半分以上とすることを特徴とするものである。
したがって、複数の被監視線路から後方散乱光や反射光が光分岐手段で合波されて１つの入射端へもどってきても、各被監視線路の出射端での後方散乱、あるいは反射による光信号が重なり合うことがないので、これら複数の被監視線路から入射端へもどってくる光をＯＴＤＲで測定したときに、各被監視線路の出射端をそれぞれ認識することができる。よって光分岐手段を用いて複数系列の被監視線路が構築された光線路全体を、ＯＴＤＲを用いて一括的に監視することができる。
そして前記入射端に前記試験光を入射させたときに該入射端にもどってくる光の強度を経時的に測定して得られる波形を、正常状態で得られる波形と比較して、正常状態の波形との差により断線の発生および断線位置を検知すれば、断線が生じた被監視線路の特定および断線位置の断定をほぼ正確に行うことができる。
【図面の簡単な説明】
【図１】  本発明の光線路の監視方法の一実施例を示す光伝送線路の概略構成図である。
【図２】  本発明の光線路の監視方法により得られる正常状態の波形の例を示すグラフである。
【図３】  本発明の光線路の監視方法により得られる異常状態の波形の例を示すグラフである。
【図４】  実施例１の光伝送線路の概略構成図である。
【図５】  実施例１で得られた正常状態の波形である。
【図６】  実施例１で得られた異常状態の波形である。
【図７】  実施例１で得られた異常状態の波形である。
【図８】  実施例２の光伝送線路の概略構成図である。
【図９】  実施例２で得られた正常状態の波形である。
【図１０】  実施例３で得られた正常状態の波形である。
【図１１】  比較例１で得られた正常状態の波形である。
【図１２】  比較例２で得られた正常状態の波形である。
【符号の説明】
１…交換局（入射端）、２…ＯＴＤＲ、５，６，７…基地局（出射端）、
１１…基幹線路、１２…光分岐デバイス（光分岐手段）、
１３，１５，１６…分岐線路、２１…被監視線路、２０…光線路、
３１…第１の分岐線路、３２…第２の分岐線路、
４０…１×８スプリッタ（光分岐手段）、
４１…第１の分岐線路、４２…第２の分岐線路、４３…第３の分岐線路、
４４…第４の分岐線路、４５…第５の分岐線路、４６…第６の分岐線路、
４７…第７の分岐線路、４８…第８の分岐線路。
【図１】
0003660043.tif 000005
【図２】
0003660043.tif 000006
【図３】
0003660043.tif 000007
【図４】
0003660043.tif 000008
【図５】
0003660043.tif 000009
【図６】
0003660043.tif 000010
【図７】
0003660043.tif 000011
【図８】
0003660043.tif 000012
【図９】
0003660043.tif 000013
【図１０】
0003660043.tif 000014
【図１１】
0003660043.tif 000015
【図１２】
0003660043.tif 000016